(57)【要約】      （修正有）【課題】ハーフミラーに映った利用者の画像と、ハーフミラーの背面より投影した画像が一緒に表示されるコンパクトミラートイを提供する。【解決手段】蓋付筐体内に、上面より順次にハーフミラー、透光性マスクフィルム、光拡散プレート、バッテリー、ＬＥＤ等が収納されている。光拡散プレートは、ＬＥＤやＥＬ素子等からなる光源の光が面状に拡散するように、アクリル樹脂等で構成されている。ハーフミラーに積層される透光性マスクフィルムには、バラエティーに富んださまざまなパターンが印刷される。蓋又は筐体の上部にストラップが固定され、使用者の持ち物にマスコットのように取り付け、又は携帯できる。【選択図】図３
0003154821.tif 000002
【実用新案登録請求の範囲】
【請求項１】
蓋付筐体内に、上面より順次にハーフミラー、透光性マスクフィルム、光拡散プレート、バッテリー、ＬＥＤ等が収納されており、開蓋時にハーフミラー表面に使用者自信の顔が映ると同時に、更に筐体の側面に設けたスイッチをＯＮ操作することにより、光拡散プレートを介して透光性マスクフィルムに印刷されたパターンが輝いて表示されるように構成したことを特徴とするコンパクトミラートイ。
【請求項２】
光拡散プレートはＬＥＤやＥＬ素子等からなる光源の光が面状に拡散するようにアクリル樹脂等で構成されていることを特徴とする請求項１記載のコンパクトミラートイ。
【請求項３】
ハーフミラーに積層される透光性マスクフィルムには、バラエティーに富んださまざまなパターンが印刷され、使用者が好みに合ったパターンを選択して使用できるように構成したことを特徴とする請求項１記載のコンパクトミラートイ。
【請求項４】
透光性マスクフィルムを挿着又は交換できるように筐体の上部にスリット孔を設け、スリットトップを開けて該透光性マスクフィルムを挿着又は交換するように構成したことを特徴とする請求項１記載のコンパクトミラートイ。
【請求項５】
蓋又は筐体の上部にストラップが固定され、使用者の持ち物にマスコットのように取り付けられ、又は携帯できるように構成したことを特徴とする請求項１記載のコンパクトミラートイ。
【考案の詳細な説明】
【技術分野】
【０００１】  本考案はコンパクトミラートイに関し、特に使用者自信がハーフミラー表面に映ると共に、ハーフミラーの裏面でＬＥＤやＥＬ素子の光源より光拡散プレートを介して拡散された光が、更にパターンを印刷した透光性マスクフィルムを介して、使用者の映る周辺を華やかに彩るように構成したことを特徴とするコンパクトミラートイに関する。
【背景技術】
【０００２】  従来、ハーフミラーを用いた鏡装置等が考案されており、例えば特開２００９−６１０３９号公報「鏡面部とハーフミラー部を合わせ持った鏡装置、それを用いた情報表示装置、及び利用者利用履歴管理表示装置とシステム」や実用新案登録第３０７８４７５号公報「手鏡玩具」がある。
【先行技術文献】
【０００３】
【特許文献１】  特開２００９−６１０３９号公報
【実用新案文献２】
実用新案登録第３０７８４７５号公報
【考案の概要】
【考案が解決しようとする課題】
【０００４】  上述した特開２００９−６１０３９号公報は「鏡面部とハーフミラー部を合わせ持った鏡装置、それを用いた情報表示装置、及び利用者利用履歴管理表示装置とシステム」は、美容室や理髪店に設置される鏡装置であって、鏡装置の一部のハーフミラー部越しに美容又は理髪後の利用者の画像を撮影し、スクリーン部に表示させるものであった。【０００５】  また、上述した実用新案登録第３０７８４７５号公報「手鏡玩具」は手鏡玩具であり、ハーフミラーの裏面よりＥＬ素子等の光を照射して印刷フィルム上の画像を手鏡表面に表示するものである。【０００６】  しかしながら上記２件の公報は、いずれもハーフミラーに映った利用者の画像と、ハーフミラーの背面より投影した画像が一緒に表示されるものではなかった。【０００７】  そこで本考案では、ハーフミラーに映った利用者の画像と、ハーフミラーの背面より投影した画像が一緒に表示されるコンパクトミラートイを創案したものである。
【課題を解決するための手段】
【０００８】  本考案はコンパクトミラートイに関するものであって、蓋付筐体内に、上面より順次にハーフミラー、透光性マスクフィルム、光拡散プレート、バッテリー、ＬＥＤ等が収納されており、開蓋時にハーフミラー表面に使用者自信の顔が映ると同時に、更に筐体の側面に設けたスイッチをＯＮ操作することにより、光拡散プレートを介して透光性マスクフィルムに印刷されたパターンが輝いて表示されるように構成したことを特徴とし、光拡散プレートはＬＥＤやＥＬ素子等からなる光源の光が面状に拡散するようにアクリル樹脂等で構成されていることを特徴とし、ハーフミラーに積層される透光性マスクフィルムには、バラエティーに富んださまざまなパターンが印刷され、使用者が好みに合ったパターンを選択して使用できるように構成したことを特徴とし、透光性マスクフィルムを挿着又は交換できるように筐体の上部にスリット孔を設け、スリットトップを開けて該透光性マスクフィルムを挿着又は交換するように構成したことを特徴とし、且つ、蓋又は筐体の上部にストラップが固定され、使用者の持ち物にマスコットのように取り付けられ、又は携帯できるように構成したことを特徴とするコンパクトミラートイを提供する。
【考案の効果】
【０００９】  本考案のコンパクトミラートイは、持ち運びできる小型のマスコットであって、しかもハーフミラーに映った使用者の顔の周囲に華やかなパターンを点滅させ、効果的な演出を奏するものであるので、特に女子学生等が自分の顔をちょっと映して点検するときなどに利用でき、また小児などにも興味をもたせることができるコンパクトミラートイである。
【図面の簡単な説明】
【００１０】
【図１】  本考案コンパクトミラートイの全体斜視図である。
【図２】  図１の蓋を開けた全体斜視図である。
【図３】  本考案コンパクトミラートイの分解図である。
【図４】  開蓋時の断面図である。
【図５】  使用状態の説明図である。
【図６】  使用状態の説明図である。
【考案を実施するための形態】
【００１１】  以下、図面に示す実施例に基づき、本考案の具体的な構成を説明する。
図面において、図１は本考案コンパクトミラートイの全体斜視図である。図２は図１の蓋を開けた全体斜視図である。図３は本考案コンパクトミラートイの分解図である。図４は開蓋時の断面図である。図５は使用状態の説明図である。図６は使用状態の説明図である。
【００１２】  図１及び図２に示すように、本考案コンパクトミラートイ本体は、ヒンジ５を介して開閉自在の蓋２を有する筐体１からなり、筐体１の側面にはスイッチ４が設けられている。
【００１３】  筐体１の上部には、ストラップ３が取付けられており、ストラップ３を介して他の所有物にコンパクトミラートイ本体を取付けてもよく、コンパクトミラートイ本体を携帯してもよい。
【００１４】  図２のように蓋２をあけると、筐体１の表面にはハーフミラー６の鏡面が露出して使用者の顔を映すことができる状態になる。
【００１５】  図３乃至図４に示すように、蓋付筐体内には上面より順次にハーフミラー６、パターン７１を印刷した透光性マスクフィルム７、光拡散プレート８、バッテリー１０、ＬＥＤ９等が収納されている。
【００１６】    光拡散プレート８はＬＥＤ９やＥＬ素子等からなる光源の光が面状に拡散するようにアクリル樹脂等で構成されている。
【００１７】  ハーフミラー６に積層される透光性マスクフィルム７には、バラエティーに富んださまざまなパターン７１が印刷され、使用者が好みに合ったパターンを選択して使用できる。
【００１８】  図５に示すように、開蓋時にハーフミラー６の表面に使用者自信の顔１１が映ると同時に、更に筐体１の側面に設けたスイッチ４をＯＮ操作することにより、光拡散プレート８を介して透光性マスクフィルム７に印刷されたパターン７１が輝いて表示されるように構成されている。
【００１９】  すなわち、透光性マスクフィルム７には透光性のパターン７１が印刷されているので、図５に示すパターン７１は光を通し、星型に輝いて表示される。
【００２０】  ハーフミラー６に積層される透光性マスクフィルム７には、バラエティーに富んださまざまなパターン７１を印刷することができるので、使用者が好みに合ったパターン７１を選択して使用することができる。
【００２１】  図６に示すように透光性マスクフィルム７を挿着又は交換できるように筐体１の上部にスリット孔１２を設け、スリットトップ１３を開けて該透光性マスクフィルム７を挿着又は交換することができる。
【００２２】  また、蓋２又は筐体１の上部にはストラップ３が固定され、使用者の持ち物にマスコットのように取り付けられ、又は携帯できるようになっている。
【産業上の利用可能性】
【００２３】  本考案コンパクトミラートイは、持ち運びできる小型のマスコットであって、しかもハーフミラーに映った使用者の顔の周囲に華やかなパターンを点滅させ、効果的な演出を奏するものであるので、特に女子学生等が自分の顔をちょっと映して点検するときなどに利用でき、また小児などにも興味をもたせることができるコンパクトミラートイである。
【符号の説明】
【００２４】  １  筐体
２  蓋
３  ストラップ
４  スイッチ
５  ヒンジ
６  ハーフミラー
７  透光性マスクフィルム
７１  パターン
８  光拡散プレート
９  ＬＥＤ
１０  バッテリー
１１  ミラーに映った使用者の顔
１２  スリット部
１３  スリットトップ
【図１】
0003154821.tif 000003
【図２】
0003154821.tif 000004
【図３】
0003154821.tif 000005
【図４】
0003154821.tif 000006
【図５】
0003154821.tif 000007
【図６】
0003154821.tif 000008